(57)【特許請求の範囲】
【請求項１】
フレーム脚（１１）から組み立てられた、直方体状のフレーム枠（１０）を備えた配電盤キャビネットにおいて、前記フレーム枠が、外部角隅縁部に沿って、該外部角隅縁部において互いに隣接する被覆エレメント（２０，２０′）の屈曲した縁部のための自由空間（１２）を有しており、この場合、互いに隣接する被覆エレメント（２０，２０′）の屈曲した縁部の端部屈曲区分（２３）が、互いに隣接する被覆エレメント（２０，２０′）のためのフレーム枠（１０）の外部平面（１３，１４）の間に形成された角度二等分線（１６）に対して平行に、自由空間（１２）内へ延びており、この場合、互いに隣接した被覆エレメント（２０，２０′）の、フレーム枠（１０）の自由空間（１２）に導入された前記端部屈曲区分（２３）が、前記角度二等分線に対して間隔をおいている形式のものにおいて、
被覆エレメント（２０，２０′）の内側（１２）が、フレーム枠（１０）の外部平面（１３，１４）の領域において直接に又はシールエレメントを介してフレーム脚（１１）に当接しており、被覆エレメントの２つの屈曲区分（２２，２３）が、フレーム脚（１１）の自由空間（１２）に導入されており、
第１の端部屈曲区分（２２）が、被覆エレメント（２０，２０′）の内側（２１）に対して１３５゜の角度を成しておりかつ端部屈曲区分（２３）としての第２の屈曲区分へ直角に移行しており、
互いに隣接した被覆エレメント（２０，２０′）の、フレーム脚（１１）の自由空間（１２）に導入された両方の端部屈曲区分（２３）の外側（２４）と、角度二等分線との間の間隔が、被覆エレメント（２０，２０′）の厚さ（Ｄ）よりも小さいことを特徴とする、配電盤キャビネット。
【請求項２】
フレーム枠（１０）の外部平面（１３，１４）が外部角隅縁部（１５）において交差している、請求項１記載の配電盤キャビネット。
【請求項３】
被覆エレメント（２０，２０′）の角隅領域における被覆エレメント（２０，２０′）の屈曲区分（２２，２３）がそれぞれ、被覆エレメント（２０，２０′）の角度二等分線を通る平面に対して空間を空けられておりかつ互いに結合されている、請求項１又は２記載の配電盤キャビネット。
【請求項４】
少なくとも１つの被覆エレメント（２０）がキャビネットドアとして形成されており、
該キャビネットドアが１つの垂直な側部において、ヒンジエレメント及び対応するヒンジエレメント（３０，３１）を介して、フレーム枠（１０）の垂直のフレーム脚（１１）に枢着されており、この場合、ヒンジエレメント（３０）が、キャビネットドアの屈曲区分（２２，２３）の内側に取り付けられているのに対し、対応するヒンジエレメント（３１）が、垂直なフレーム脚（１１）の自由空間に取り付けられている、請求項１から３までのいずれか１項記載の配電盤キャビネット。
【請求項５】
被覆エレメント（２０，２０′）の端部屈曲区分（２３）が自由端部において、被覆エレメント（２０，２０′）の内側（２１）に向かって屈曲されている、請求項１から４までのいずれか１項記載の配電盤キャビネット。
【発明の詳細な説明】
【０００１】
【発明の属する技術分野】
本発明は、フレーム脚から組み立てられた直方体状のフレーム枠を備えた配電盤キャビネットであって、外部角隅領域には、互いに当接する被覆エレメントの屈曲した縁部を収容するための自由空間が形成されている形式のものに関する。
【０００２】
【従来の技術】
このような形式の公知の配電盤キャビネットの場合、被覆エレメントの縁部は常に直角に屈曲されていて、外部角隅縁部の領域においてフレーム枠の自由空間に突出している。この場合、屈曲した縁部を備えた被覆エレメントは、この被覆エレメントに対して垂直に当接する被覆エレメントよりも後退させられていて、この被覆エレメントによって被覆されている。配電盤キャビネットの外部角隅領域の構成は、複数の配電盤キャビネットが並置されている場合に、配電盤キャビネット領域の実質的に閉鎖されたフロントが提供されるという利点を有する。一方の被覆エレメントの屈曲した縁部と、直角に当接する被覆エレメントとの間にはスリットだけが残っている。しかしながら、これにより、特にこのスリットにおいて被覆エレメントの強制的な取外しのための工具が当て付けられることができる。したがって、特に個々に設置された配電盤キャビネットの場合にも、破壊行為に対する安全性はしばしば十分ではない。さらに、全ての外部角隅縁部の領域において、統一した外観と、互いに当接する側の角度二等分線に対する対称性を維持するために、被覆エレメント及びキャビネットドアはフレーム枠の垂直側において自由に組み合わせることはできない。
【０００３】
【発明が解決しようとする課題】
したがって、本発明の課題は、冒頭に述べた形式の配電盤キャビネットを改良して、被覆エレメント及びキャビネットドアを自由に組合せ可能に取付けるために及び全ての垂直方向の外部角隅縁部において角度二等分線に対して対称的な移行部を提供するために、被覆エレメント及びキャビネットドアの屈曲部を統一して選択することである。
【０００４】
【課題を解決するための手段】
この課題を解決するために本発明の構成では、少なくとも垂直な被覆エレメントの屈曲した縁部が、少なくとも２つの屈曲区分から成っており、これらの屈曲区分が、内側において直接に又はシールエレメントを介して、フレーム枠の外部平面上に位置した被覆エレメントに接続していて、所属のフレーム脚の自由空間に突出しており、端部屈曲区分が、互いに交差する外部平面の角度二等分線に対して平行に延びていて、端部屈曲区分の外側が、角度二等分線に対して所定の間隔をおいて位置している。
【０００５】
【発明の効果】
この屈曲部の場合、全ての外部角隅縁部において角度二等分線に対して対称的な外観を維持するために、被覆エレメントとキャビネットドアとは同じ形式で屈曲されることができる。
【０００６】
互いに当接する被覆エレメントの端部屈曲区分は少なくとも全ての垂直方向の外部角隅縁部において狭幅なギャップを形成しており、このギャップには被覆エレメントのこじ開けのための工具が挿入されることができず、さらに、これらの屈曲区分は、被覆エレメントの縁部領域の安定性を高める。この簡単な形式で、付加的に破壊行為に対する安全性が決定的に改善し、このことは特に個別キャビネットに対して言える。
【０００７】
１つの構成によれば、被覆エレメントの垂直側に第１の屈曲区分が接続しており、この第１の屈曲区分の内側が被覆エレメントの内側に対して所定の角度を成しており、端部屈曲区分が第１の屈曲区分において直角に内方へ屈曲されている。被覆エレメントの側部のこのような屈曲は、被覆エレメントを打抜き／曲げ部材として製造する場合に全く困難を生ぜしめない。
【０００８】
第１の屈曲区分は、複数の箇所で屈曲されていて、端部屈曲区分に移行していることができる。
【０００９】
別の構成によれば、端部屈曲区分の外側と所属の角度二等分線との間の所定の間隔が被覆エレメントの厚さよりも小さくなるように設計されることもできる。
【００１０】
フレーム枠における被覆エレメントの当接は、互いに当接する被覆エレメントの内側の平面が、所属の仮想外部角隅縁部において交差することによって保証される。
【００１１】
水平及び垂直方向の外部角隅縁部における保護は以下のことにより達成される。被覆エレメントが全ての４つの側においてこのように屈曲した縁部を有しており、これらの縁部が被覆エレメントの角隅の領域において、相応に屈曲した縁部エッジに移行しており、これらの縁部エッジが被覆エレメントの角度二等分線の平面に位置していて有利には互いに結合されている。これらの縁部エッジは、互いに結合、特に溶接されていることもでき、このことは被覆エレメントの安定性を付加的に高める。
【００１２】
配電盤キャビネット内室へのアクセスは以下のことにより提供される。少なくとも１つの被覆エレメントがキャビネットドアとして形成されており、キャビネットドアの垂直側において、端部屈曲区分の内側にヒンジエレメントが取り付けられており、これに対してフレーム脚の所属の成形材側に中空室内で対抗ヒンジエレメントが固定されている。この場合、ヒンジエレメント及び対抗ヒンジエレメントの枢着軸線の位置によって、互いに平行に延びた端部屈曲区分の間のギャップの幅と、キャビネットドアの開放角度とが妥協される。配電盤キャビネット内室への妨害されないアクセスを維持するために、開放角度は有利には９０゜よりも大きく、有利には約１１５゜であることが望ましい。
【００１３】
【発明の実施の形態】
配電盤キャビネットの垂直方向角隅領域の図示の横断面に基づき本発明をさらに詳しく説明する。
【００１４】
配電盤キャビネットの各角隅領域において被覆エレメント２０，２０′が互いに直角に当接している。フレーム枠１０の全ての外部角隅縁部１５には、フレーム脚１１が対応配置されており、このフレーム脚は、仮想外部角隅縁部１５に向かって自由空間１２を形成している。フレーム脚１０は角度二等分線１６に対して鏡面対称的に形成されており、この角度二等分線は、フレーム枠１０の対応配置された外部平面１３，１４の間に延びていて、これらの外部平面と外部角隅縁部１５において交差している。外部平面１３，１４は、フレーム枠１０のフレーム脚１１の成形材当接側１７，１８の外側によって規定されていて、被覆エレメント２０，２０′をフレーム枠１０のフレーム脚１１と結合させるために利用されることができる。被覆エレメント２０，２０′の内側２１は、成形材当接側１７，１８の外側に当接していて、従ってフレーム枠１０の外部平面１３，１４に位置している。
【００１５】
成形材当接側１７，１８に続いて、被覆エレメント２０，２０′は、屈曲した区分２２，２３に移行している。第１の屈曲区分２２の内側は、対応配置された被覆エレメント２０又は２０′の内側２１に対して１３５゜の角度を成している。この第１の屈曲区分２２において、端部屈曲区分２３が直角に内側に向かって屈曲させられている。これらの端部屈曲区分２３は、対応配置された角度二等分線１６に対して平行に、この角度二等分線から所定の間隔ａ／２をおいて延びていて、幅ａを有する狭幅なギャップを形成している。この幅ａは、被覆エレメント２０，２０′の厚さＤよりも小さいと有利である。第１の屈曲区分２２から端部屈曲区分２３への移行部は面取りされている。しかしながら、ギャップは狭幅であるので、被覆エレメント２０，２０′をこじ開けるために必要な力を加えるためにこじ開け工具の当付けのために工具が挿入されることができない。
【００１６】
しかしながら、第１の屈曲区分２２は複数の屈曲区分を有することもでき、これらの屈曲区分は、被覆エレメント２０，２０′と端部屈曲区分２３との間に配置されている。
【００１７】
被覆エレメント２０′がキャビネットドアとして形成及び利用されるならば、被覆エレメント２０′の１つの垂直側では、第１の屈曲区分２２の内側と端部屈曲分２３の内側との間の空間にヒンジエレメントが取り付けられており、これらのヒンジエレメントは公知の形式で対抗ヒンジエレメント３１と連結されており、対抗ヒンジエレメントは、フレーム脚１１の所属の成形材側に取り付けられている。ヒンジ軸線は、ギャップの幅ａに関連して、ギャップの幅ａをできるだけ小さくしながらキャビネットドアのための十分に大きな開放角度が達成されるように選択される。キャビネットドアの対向する側において、相応の閉鎖エレメント及び対向閉鎖エレメントが配置されている。
【００１８】
既に述べたように、垂直な被覆エレメント２０，２０′の水平側にこのような屈曲部を設けることができる。さらに、配電盤キャビネットの水平方向の被覆エレメントにも、全ての側において相応に、屈曲した縁部２２，２３を設けることもできる。
【００１９】
しかしながら、水平方向の被覆エレメントが、直角に屈曲した縁部を有する一方で、被覆エレメント２０，２０′の垂直側にのみ相応の屈曲部２２，２３を設けることができる。
【００２０】
被覆エレメント２０，２０′の端部屈曲区分は、屈曲部を補強するために、自由端部において付加的に、対応配置された被覆エレメントに向かって屈曲されていることができる。
【図面の簡単な説明】
【図１】配電盤キャビネットの垂直方向角隅領域を示す横断面図である。
【符号の説明】
１０  フレーム枠、  １１  フレーム脚、  １２  自由時間、  １３，１４  外部平面、  １５  外部角隅縁部、  １７，１８  成形材当接側、  ２０，２０′  被覆エレメント、  ２２  屈曲区分、  ２３  端部屈曲区分、  ２４  外側
【図１】
0003677251.tif 000002